(57)【特許請求の範囲】
【請求項１】
災害時の避難所として使用する屋内空間部を複数に区画すべく対向する側面間に複数本架け渡された区画用ロープ体と、該区画用ロープ体に取り付ける縦方向の区画及び横方向の区画を形成する区画用シート体とから構成された屋内空間部用の区画体において、前記各区画用ロープ体には、間仕切り面に応じて形成されたネット体又はシート体がそれぞれ吊り張りされ、且つ前記ネット体又はシート体を利用して上下方向の取り付け位置に対応できる長さに形成された縦方向の区画用シート体を前記区画用ロープ体の架け渡し方向に沿って所望の高さ位置に取り付け、及び隣り合う前記区画用ロープ体に取り付けられたネット体又はシート体を利用して前記区画用ロープ体間の幅に応じて形成された横方向の区画用シート体を取り付けることを特徴とする屋内空間部用の区画体。
【請求項２】
災害時の避難所として使用する屋内空間部の対向する側面間に複数本の区画用ロープ体を所望の間隔で架け渡し、前記区画用ロープ体に縦方向の区画を形成する区画用シート体を取り付けるとともに、前記隣り合う区画用ロープ体間に横方向の区画を形成する区画用シート体を取り付けることで、複数個の区画を形成する屋内空間部用の区画体の区画方法において、前記各区画用ロープ体に間仕切り面に応じて形成されたネット体又はシート体を取り付けた後、前記ネット体又はシート体を利用して前記縦方向の区画用シート体を上下方向の取り付け位置に対応できる長さに形成し、所望の高さ位置を設定して前記区画用ロープ体の架け渡し方向に沿って取り付けるとともに、前記縦方向の区画用シート体の高さ位置に応じて前記区画用ロープ体間の幅に応じて形成された前記横方向の区画用シート体を隣り合う前記区画用ロープ体に吊り張りされたネット体又はシート体間に取り付けることで、壁面の高さ位置及び床面の面積を自在に調整して複数個の区画を形成することを特徴とする屋内空間部用の区画体の区画方法。
【発明の詳細な説明】
【技術分野】
【０００１】本願発明は、災害時の避難所として使用される体育館等の施設の屋内空間部を複数に区画して避難者を受け入れる屋内空間部用の区画体、及び屋内空間部用の区画体を用いた区画方法に関する。
【背景技術】
【０００２】近年、災害時の避難所、又は避難施設としてメインホール、サブホールを形成する複数の屋内空間部を有する体育館が使用されている。【０００３】前記屋内空間部は災害の状況に応じて数日間に渡って人々の避難場所となるために、非難した人々を複数に区画した区画体の中で生活できる状態として使用される。【０００４】前記屋内空間部を複数に区画するのに、段ボール又はパネル体が一般的に利用されている。【０００５】即ち、前記段ボールを利用した区画体は、段ボール板の床面部及び側壁部から構成され、床面部の各端辺に沿ってそれぞれ側壁部を立設し屋根部分のない箱状に組み立てることで１つの区画を形成し、該区画を複数個（避難者に応じた数）設置して屋内空間部用の区画体を形成している。【０００６】また、前記パネル体を利用した区画体は、矩形状の複数枚のパネル体を側壁部として使用し屋根部分のない矩形状の枠に組み立てることで１つの区画を形成し、該区画を複数個設置することで屋内空間部用の区画体を形成している。【０００７】しかしながら、上記段ボールを利用した区画体は、常時は折り畳まれた複数枚の段ボールを箱状にまとめ、該箱体を複数個積み重ねることで収納されているために、避難者に対応した数、例えば１００区画分を保管するには、（少なくとも２ｍ四方で厚みが約２０ｃｍの箱であるために）十分な保管スペースを確保することができない欠点があるとともに、段ボールを使用した後は廃棄物処理しなければならず、その廃棄コストの面でも大きな問題点があった。【０００８】また、上記パネル体は使用後に廃棄物処理する必要はないものの、段ボールと同様に、各パネル体（少なくとも２ｍ四方の形状であるために）を複数枚積み重ねて収納するための十分な保管スペースがないという問題点があった。【０００９】そこで、収納に多くのスペースを必要とすることなく、且つ再利用が可能である区画用ロープ体と区画用シート体を用いた屋内空間部用の区画体が提案された。【００１０】前記屋内空間部用の区画体は、複数本の区画用ロープ体と、複数枚の区画用シート体で形成されているために折り畳んで収納することができ、例えば１００区画分であっても段ボール等に比し保管スペースを必要としない（約１／１０）という利点とともに、再利用できる利点がある。【００１１】前記区画体は、屋内空間部に所望の間隔（区画する間隔、及び区画間の通路の間隔）に応じて複数本の区画用ロープ体を架け渡し、該区画用ロープ体の架け渡し方向（縦方向）に沿って区画用シート体を区画の数に応じて取り付けた後、前記隣り合う区画用ロープ体間に横方向に区画用シート体を取り付けることで、各区画を形成し、全体で複数個の区画を形成することで、区画体を形成するために、複数個の区画を容易に形成することができる。
【発明が解決しようとする課題】
【００１２】しかしながら、前記区画用ロープ体と区画用シート体とを用いた屋内空間部用の区画体は、前記区画用ロープ体を屋内空間部用の側面に架け渡す際、その側面への取り付ける高さ位置が、区画を形成する区画用シート体の側壁部の高さ位置に相当するために、屋内空間部の対向する側面間に前記側壁部に相当する高さ位置に新たな連結部分を形成する必要があり、その設置に多くの作業時間及びコストを要する欠点があった。
【００１３】また、側壁部の高さ位置が予め決定されているために、その高さ位置の変更ができず、例えば赤ん坊のいる女性等目隠しを必要とする個別の区画を形成することができないという欠点があった。
【００１４】同様に、隣り合う区画用ロープ体間に取り付ける横方向の区画用シート体においてもその取り付け位置の高さ位置も区画用ロープ体の位置に限定される欠点があった。
【００１５】さらに、縦方向の区画用シート体は区画用ロープ体に掛けるように取り付けるために、縦方向の区画用シート体が移動することがあり、また区画用ロープ体に紐状体で固定するとその固定作業が煩雑であるという欠点があった。
【００１６】そこで、本願発明は、区画用シート体で形成する側壁部の高さ位置を自在に設定することができ、その組み立てが簡易であり、且つ区画用ロープ体の架け渡し方法も容易な屋内空間部用の区画体、及び屋内空間部用の区画体の区画方法を提供することを課題とする。
【課題を解決するための手段】
【００１７】上記課題を解決する手段としての屋内空間部用の区画体は、請求項１に記載のように、災害時の避難所として使用する屋内空間部を複数に区画すべく対向する側面間に複数本架け渡された区画用ロープ体と、前記区画用ロープ体に取り付け縦方向の区画及び横方向の区画を形成する区画用シート体とから構成された屋内空間部用の区画体において、前記各区画用ロープ体には、間仕切り面に応じて形成されたネット体又はシート体がそれぞれ吊り張りされ、且つ前記ネット体又はシート体を利用して上下方向の取り付け位置に対応できる長さに形成された縦方向区画用シート体を前記区画用ロープ体の架け渡し方向に沿って所望の高さ位置に取り付け、及び隣り合う前記区画用ロープ体に取り付けられたネット体又はシート体を利用して前記区画用ロープ体間の幅に応じて形成された横方向の区画用シート体を取り付けることを特徴とする。
【００１９】また、上記課題を解決する手段としての屋内空間部用の区画体の区画方法は、請求項２に記載のように、災害時の避難所として使用する屋内空間部の対向する側面間に複数本の区画用ロープ体を所望の間隔で架け渡し、前記区画用ロープ体に縦方法の区画を形成する区画用シート体を取り付けるとともに、前記隣り合う区画用ロープ体間に横方法の区画を形成する区画用シート体を取り付けることで、複数個の区画を形成する屋内空間部用の区画体の区画方法において、前記各区画用ロープ体に間仕切り面に応じて形成されたネット体又はシート体を取り付けた後、前記ネット体又はシート体を利用して前記縦方向の区画用シート体を上下方向の取り付け位置に対応できる長さに形成し、所望の位置を設定して前記区画用ロープ体の架け渡し方向に沿って取り付けるとともに、前記縦方法の区画用シート体の高さ位置に応じて前記区画用ロープ体間の幅に応じて形成された前記横方向の区画用シート体を隣り合う前記区画用ロープ体に吊り張りされたネット体又はシート体間に取り付けることで、壁面の高さ位置及び床面の面積を自在に調整して区画することを特徴とする。
【発明の作用効果】
【００２０】本願発明の屋内空間部用の区画体、及び屋内空間部用の区画体の区画方法の作用効果を説明する。
【００２１】先ず、請求項１に記載の屋内空間部用の区画体は、災害時の避難所として使用する屋内空間部の対向する側面間に架け渡された複数本の区画用ロープ体と、前記区画用ロープ体に吊り張りするネット体又はシート体と、前記ネット体又はシート体を利用して取り付けられた前記区画用ロープ体と同方向の縦方向の区画を形成する区画用シート体と、前記隣り合う区画用ロープ体間（交差方向）に取り付けられた横方向の区画を形成する区画用シート体とから構成されている。
【００２２】前記ネット体又はシート体は間仕切り面に応じて形成され、前記ネット体又はシート体に直接又は間接的（連結具を介して）に前記縦方向の区画用シート体及び前記横方向の区画用シート体がそれぞれ取り付けられる。
【００２３】このため、前記区画用ロープ体の架け渡された間隔で前記ネット体又はシート体が吊り張りされ、区画の幅が決定される。
【００２４】前記縦方向の区画用シート体は、前記ネット体又はシート体の面を利用して所望の高さ位置に取り付け可能で、区画体の側壁面の高さを自在に調整することができる。
【００２５】しかも、前記ネット体又はシート体の面を利用して取り付けるために、その取り付けが容易であり、また、取り付け後に前記縦方向の区画用シート体が取り付け位置より移動することがなく確実に取り付けできる。
【００２６】前記横方向の区画用シート体は、隣り合う区画用ロープ体にそれぞれ吊り張りされたネット体又はシート体を利用して、取り付け位置の高さ、及び幅を自在に調整することができる。
【００２７】この場合も前記縦方向の区画用シート体と同様に、その取り付けが容易であり、また取り付け位置が移動することなく、確実に取り付けできる。
【００２８】これにより、前記縦方向の区画用シート体及び前記横方向の区画用シート体を利用して高さ位置、面積の相違する複数個の区画を自在に形成することができる。
【００２９】このように、本願請求項１に記載の屋内空間部用の区画体は、避難者の数に応じて、また、避難者の家族構成に応じて、前記区画用ロープ体の架け渡された幅、又は前記横方向の区画用シート体で自在のその面積を調整することができ、避難者に応じた最適な複数個の区画を自在に形成することができる。
【００３０】また、前記縦方向の区画用シート体の取り付け位置により区画の側壁部の高さ位置を自在に調整することができる。
【００３１】また、区画体の構成が、区画用ロープ体と、区画用シート体とから構成されているために、その構成が簡易であり、再利用でき、コストの面で従来の段ボール等に比しかなり削減することができる。
【００３２】さらに、保管の面で従来のようにスペースを有することなく保管することができ、通常時の保管が容易である。
【００３６】次に、本願発明の請求項２に記載の屋内空間部用の区画体の区画方法は、災害時の避難所として使用する屋内空間部の対向する側面間に複数本区画用ロープ体を所望の間隔で架け渡し、前記各区画用ロープ体に間仕切り面に応じて形成されたネット体又はシート体をそれぞれ吊り張りした後、前記ネット体又はシート体を利用して縦方向の複数枚の区画用シート体を所望の高さ位置でそれぞれ取り付けるとともに、前記隣り合う区画用ロープ体間で前記ネット体又はシート体を利用して前記横方向の複数枚の区画用シート体を所望の幅で、前記縦方向の区画用シート体の高さ位置に応じてそれぞれ取り付けることで、区画体を形成する。
【００３７】前記区画用ロープ体間は、避難者の人数に応じた区画の数に対応して自在に設定することができる。
【００３８】また、前記縦方向の区画用シート体の前記ネット体又はシート体への高さ方向の取り付け位置を自在に調整することができ、避難者の希望に応じて適切な高さ位置に決定することができる。
【００３９】しかも、前記ネット体又はシート体を利用して取り付けるので、その取り付け作業が容易であり、しかも、所望の位置に確実に取り付けできる。
【００４０】また、前記横方向の区画用シート体も同様に、前記ネット体又はシート体への取り付け位置を自在に調整することができ、避難者の家族構成等に応じて適切な面積を設定して区画することができる。
【００４１】しかも、前記横方向の区画用シート体の取り付けも、前記ネット体又はシート体を利用して取り付けために、容易に取り付けできる。
【００４２】このように、本願発明の請求項２に記載の屋内空間部用の区画体の区画方法は、避難者の状況に応じて自在に区画することができ、あらゆる屋内空間部で自在に区画体を形成することができる。
【００４３】また、ネット体又はシート体を利用して縦方向の区画用シート体及び横方向の区画用シート体を取り付けでき、従来に比しその組み立て工程が容易であり、簡易に組み立てできる。
【００４４】しかも、区画体の設置、及び区画体の解体が容易であり、また、再利用できるので、廃棄物処理の必要がない。
【発明を実施するための最良な形態】
【００４５】本願発明の屋内空間部用の区画体、及び屋内空間部用の区画体の区画方法の一実施例について図面を利用して説明する。
【００４６】図１は本願発明の屋内空間部用の区画体の一実施例を示す概略説明一部分平面図であり、図２は区画用ロープ体に吊り張りされたネット体又はシート体及び縦方向の区画用シート体の一実施例を示す概略説明正面図であり、図３は縦方向の区画用シート体と横方向の区画用シート体で形成された区画の一実施例を示す概略説明平面図であり、図４は横方向の区画用シート体の一実施例を示す概略説明正面図であり、図５は屋内空間部用の区画体の一実施例を示す概略説明平面図であり、図６は区画用ロープ体に吊り張りされたネット体又はシート体及び縦方向の区画用シート体の他実施例を示す概略説明側面図であり、図７及び図８は区画の他実施例を示す概略説明平面図であり、図９は本願発明の屋内空間部用の区画体の他実施例を示す概略説明平面図であり、図１０はネット体又はシート体の他実施例を示す概略説明側面図であり、図１１、図１２及び図１３は区画用シート体の他実施例を示す概略説明平面図であり、図１４は区画用ロープ体の架け渡し方法の他実施例を示す概略説明平面図であり、図１５は区画用ロープ体の架け渡し方法の他実施例を示す概略説明側面図である。
【００４７】図１６は本願発明の屋内空間部用の区画体の区画方法を示すフローチャートである。
【実施例１】
【００４８】本願発明の屋内空間部用の区画体１は、屋内空間部の側面間の所望の高さ位置に架け渡される複数本の区画用ロープ体２と、前記区画用ロープ体２に連結手段を介して吊り張りされるネット体（又はシート体）３と、前記ネット体３の網目部分を利用して取り付ける縦方向の区画用シート体４と、前記隣り合う区画用ロープ体２間で前記ネット体３の網目部分を利用して取り付け横方向の区画用シート体５とから構成されている。【００４９】前記ネット体３は床面側までの上下方向の長さが調整可能とすべく、床面側の下端側を折り返して所望の高さ位置に設定することで、出入り口部分を形成する縦方向の区画用シート体４の開閉移動を容易にすることができる。【００５０】また、対向する固定状態の側壁部を形成する縦方向の区画用シート体４を取り付けるネット体３は下端側を床面側まで位置することで、前記縦方向の区画用シート体４を外側より保護することができる。【００５１】尚、前記ネット体３の上下方向の長さは、上記のように調整可能に構成することに限定されるものでなく、予め上下方向の長さの形成されたネット体３を使用することも可能である。【００５２】即ち、区画の出入り口が可能な高さ位置までに形成されたネット体３を用いることも可能である。【００５３】前記区画用ロープ体２は、屋内空間部の二階部分に設置されている手すり部分を利用して対向する側面間に所望の間隔（区画体１を形成する横方向の幅）で複数本架け渡され、側面側に取り付けられた滑車、ウインチ等を用いて架け渡されている。【００５４】尚、前記区画用ロープ体２の取り付け位置は上記二階の手すり部分に限定されるものでなく、屋内空間部の側面側でネット体３の吊り張りできる高さ位置であれば取り付け位置は特に問うものでない。【００５５】前記区画用ロープ体２の両端側は、両端側に設置されたウインチ等に巻回されたウインチ用ロープ体（図示せず）に連結することで、前記区画用ロープ体２の両端側の延びを調整することも可能である。【００５６】即ち、架け渡された区画用ロープ体２に異常な負荷がかかった場合に、両端側のウインチ用ロープが延出し前記区画用ロープ体２に弛みを与え、破損等の危険を回避することができる。【００５７】前記縦方向の区画用シート体４は、縦方向（区画用ロープ体２の架け渡す方向）の区画面積（左右方向は避難者の人数に応じた長さ、上下方向はネット体３への取り付け位置に自在に対応できる長さ）に応じて形成されたシート本体７と前記シート本体７の上端側に沿って連結された棒状体６とから構成され、前記棒状体６を前記ネット体３の網目部分にカギ状の連結具８を介して所望の高さ位置に取り付けることで、縦方向の壁面を形成することができる。【００５８】これにより、前記縦方向の区画用シート体４は棒状体６に沿って開閉移動することができ、出入り口部分としても使用できる。【００５９】また、前記開閉する縦方向の区画用シート体４に対向する側壁部を形成する縦方向の区画用シート体４は固定状態で取り付ける。【００６０】尚、前記縦方向の区画用シート体４の前記ネット体３への取り付けは上記連結具８に限定されるものでなく、前記棒状体６の両端側を連結紐（図示せず）で前記ネット体３の網目部分に連結することで縦方向の壁面部を形成することも可能である。【００６１】また、前記縦方向の区画用シート体４（固定側の壁面部分）は長尺状に形成することで、前記ネット体３に沿って複数個の区画体１の縦方向の壁面を一体的に形成することも可能である。【００６２】前記横方向の区画用シート体５は、前記区画用ロープ体２間の幅に応じて形成されたシート本体９と、前記シート本体９の上端側に沿って取り付けられた棒状体１０とから構成され、前記棒状体１０の両端側に取り付けられ、前記ネット体３の網目部分に連結する連結具１１とから構成され、前記連結具１１を前記ネット体３の網目部分へ連結することで、横方向の壁面を形成することができる。【００６３】尚、前記横方向の区画用シート体５の前記ネット体３への連結は、上記連結具１１に限定されるものでなく、連結紐（図示せず）で前記棒状体１０の端部をネット体３の網目部分に連結することも可能である。【００６４】尚、前記横方向の区画用シート体５の前記ネット体３への取り付け位置で区画の面積が決定される。【００６５】また、前記横方向の区画用シート体５は隣り合う区画毎に別々に取り付け、別々の側壁部とすることで、縦方向の区画間に隙間を形成することも可能であり、また、一つの横方向の区画用シート体５で隣り合う縦方向の区画の側壁部とすることも可能である。【００６６】また、前記縦方向の区画用シート体４を開閉移動する際、前記棒状体６に限定されるものでなく、レール（図示せず）を用いてシート本体７を開閉することも可能である。【００６７】上記実施例では、縦方向の区画用シート体４と横方向の区画用シート体５とをそれぞれ別々に形成したが、本願発明において、縦方向の区画用シート体４と横方向の区画用シート体５を一体的に形成することも可能である。【００６８】即ち、１枚の縦方向の区画用シート体４とその両側面側に横方向の区画用シート体５をそれぞれ一体的に取り付けることで、略コ字状の形状で一度に取り付け、開口部に他の縦方向の区画用シート体４を開閉自在に取り付けて区画を形成する。【００６９】又は、１枚の縦方向の区画用シート体４と１枚の横方向の区画用シート体５とを一体的に形成し、略Ｌ字状の形状を組み合わせて区画を形成する。【００７０】さらに、２枚の縦方向の区画用シート体４と２枚の横方向の区画用シート体５とを一体的に形成し、略口字状の形状で区画を予め形成する。【００７１】また、上記のように、区画用シート体４及び区画用シート体５を一体的に形成した場合は、棒状体６及び棒状体１０も同様に一体的に形成、例えば略コ字状、略Ｌ字状又は略ロ字状等形成し、屈折部分を折り畳み式に構成することも可能である。【００７２】本願発明の屋内空間部用の区画体１は上記のように構成され、次に、前記屋内空間部用の区画体１を用いて、屋内空間部を複数に区画する場合について説明する。【００７３】先ず避難所としての屋内空間部の二階部分の手すり部分を利用して、例えば複数本の手すり間約２．４ｍ幅に２本の区画用ロープ体２を架け渡し、約１．２ｍ間隔を開けて隣接する区画用ロープ体２、再度約２．４ｍ幅で区画用ロープ体２を架け渡すことを、屋内空間部の面積（避難者の人数に対応した区画を形成）に応じて繰り返す。【００７４】次に、約２．４ｍ幅の２本の区画用ロープ体２にそれぞれ間仕切り面に応じて形成されたネット体３を広げた状態で吊り張りする。【００７５】前記ネット体３の下端側は床面側より出入り口に相当する高さ位置までに形成することで、各区画の出入り口部分に対応する。【００７６】その後、前記ネット体３の網目部分を利用して縦方向の区画用シート体４の上端側の連結具１１を取り付けることで、容易に前記縦方向の区画用シート体４を取り付けでき、縦方向の側壁部を形成することができる。【００７７】この際、前記縦方向の区画用シート体４のシート本体７の縦方向の長さは区画体１の側壁部を形成するために、一人用、二人用、及び四人用等の目的に応じて形成されたシート本体７を選択して対向する両側の前記ネット体３の同位置にそれぞれ取り付ける。【００７８】また、前記縦方向の区画用シート体４の前記ネット体３への取り付け位置の上下方向は、約２ｍ以下、又はそれ以上等、自在に設取り付け可能であるために、避難者の希望する高さ位置に取り付けできる。【００７９】次に、前記約２．４ｍ幅で上下方向約２ｍで形成されたシート本体９からなる横方向の区画用シート体５を前記対向した縦方向に取り付けられた前記縦方向の区画用シート体４の両端側で、交差する方向（隣接する区画用ロープ体２に吊り張りされたネット体３間）でそれぞれ前記ネット体３の網目部分を利用して取り付けることで、横方向（交差方向）の側壁部を形成することができる。【００８０】これにより、屋根部分のない一つの矩形状の区画を形成することができる。【００８１】このように、前記縦方向の区画用シート体４の前記ネット体３への取り付けと、前記横方向の区画用シート体５の前記ネット体３への取り付けとを、前記隣接する区画用ロープ体２間で繰り返すことで、複数個の面積の相違する区画を屋内空間部に形成することができる。【００８２】これにより、屋内空間部に避難者に応じた複数個の区画を有する屋内空間部用の区画体１を構成することができる。【００８３】このように、本願発明の屋内空間部用の区画体１は、各区画の形成が簡易であり、例え１００以上の区画であってもその形成も容易であり、且つ避難者の家族構成に応じた面積を有する区画を自在に形成することができる。【００８４】また、各区画の壁面の高さ位置を自在に調整及び変更することができるので、避難者の状況に応じて自在に調整及び変更することができる。【００８５】しかも、屋内空間部用の区画体１の構成が、区画用ロープ体２と、ネット体３、縦方向の区画用シート体４、及び横方向の区画用シート体５から構成されているために、１００区画分であってもその保管に従来に比しスペースを必要としない利点があり、且つ再利用ができるために、使用毎の廃棄物処理の必要がない。
【実施例２】
【００８６】前記実施例１では、隣り合う区画用ロープ体２間の幅は横方向の区画用シート体５を形成する棒状体１０を用いて区画幅は維持されたが、本願発明の屋内空間部用の区画体１において、区画幅の維持はこれに限定されるものでない。【００８７】即ち、屋内空間部用の側面間に所望の幅で複数本の区画用ロープ体２を架け渡す際、各区画用ロープ体２にネット体３をそれぞれ吊り張りするとともに、隣り合う区画用ロープ体２間に所望の間隔で幅維持手段としての幅維持用棒状体２０を複数本取り付ける。【００８８】この際、前記幅維持用棒状体２０の両端側をそれぞれ区画用ロープ体２に移動自在に取り付けることで、取り付け位置を自在に調整することができる。【００８９】これにより、前記横方向の区画用シート体５の棒状体１０に対応する位置に前記幅維持用棒状体２０を位置することで、より強固に前記区画用ロープ体２間を維持することができる。【００９０】しかも、区画を形成する位置に応じて、その取り付け位置を自在に調整することができ、区画を維持することも可能である。【００９１】また、前記幅維持用棒状体２０により上方で区画用ロープ体２間が維持されているために、例えば横方向の区画用シート体５をシート本体９のみで形成し、両端側に前記ネット体３への連結具１１を取り付けることで、前記ネット体３への取り付けをさらに容易に行うことができる。【００９２】また、前記幅維持用棒状体２０を所望の長さ延長可能に構成することで、区画用ロープ体２間の幅に応じて自在に長さ調整することができ、前記区画用ロープ体２の架け渡しがさらに容易に行える。【００９３】また、幅維持手段は前記幅維持用棒状体２０に限定されるものでなく、ロープ体（図示せず）を用いて側面側より区画用ロープ体２に連結することも可能である。【００９４】尚、上記実施例１及び実施例２では、区画に屋根用シート体（図示せず）を用いなかったが、屋根用シート体を開閉式で前記ネット体３の網目部分を利用して取り付けることも可能である。【００９５】また、上記実施例１及び実施例２では、区画用ロープ体２にネット体３を吊り張りしたが、本願発明において、ネット体３に限定されるものでなく、連結部分の形成されたシート体３を吊り張りすることで、ネット体３と同様に使用することも可能である。【００９６】また、上記実施例１及び実施例２では、縦方向の区画を形成する区画用シート体４と横方向の区画を形成する区画用シート体５について、色彩を特定しなかったが、例えば、区画の大きさに応じて、区画用シート体４及び／又は区画用シート体５に色をつけることで、容易に必要とする面積を有する区画用シート体４及び区画用シート体５を選択することができる。【００９７】また、区画用シート体４の面積が大きい場合は、棒状体６の長さも長くなるために、その中央部分に床面側より垂直方向の支持となる別体の棒状体（図示せず）を取り付けることで前記棒状体６の水平方向の維持を行うことも可能である。
【図面の簡単な説明】
【００９８】
【図１】本願発明の屋内空間部用の区画体の一実施例を示す概略説明一部分平面図
【図２】区画用ロープ体に吊り張りされたネット体及びシート体及び縦方向の区画用シート体の一実施例を示す概略説明側面図
【図３】縦方向の区画用シート体と横方向の区画用シート体で形成された区画の一実施例を示す概略説明平面図
【図４】横方向の区画用シート体の一実施例を示す概略説明正面図
【図５】本願発明の屋内空間部用の区画体の一実施例を示す概略説明平面図
【図６】区画用ロープ体に吊り張りされたネット体又はシート体及び縦方向の区画用シート体の他実施例を示す概略説明側面図
【図７】区画の他実施例を示す概略説明平面図
【図８】区画の他実施例を示す概略説明平面図
【図９】本願発明の屋内空間部用の区画体の他実施例を示す概略説明平面図
【図１０】区画用ロープ体に吊り張りされたネット体又はシート体の他実施例を示す概略説明側面図
【図１１】区画用シート体の他実施例を示す概略説明平面図
【図１２】区画用シート体の他実施例を示す概略説明平面図
【図１３】区画用シート体の他実施例を示す概略説明平面図
【図１４】区画用ロープ体の架け渡し方法の他実施例を示す概略説明平面図
【図１５】区画用ロープ体の架け渡し方法の他実施例を示す概略説明側面図
【図１６】本願発明の屋内空間部用の区画体の区画方法を示すフローチャート
【符号の説明】
【００９９】１…屋内空間部用の区画体、２…区画用ロープ体、３…ネット体（シート体）、
４…縦方向の区画用シート体、５…横方向の区画用シート体
【要約】
【課題】本願発明は、避難所として使用する屋内空間部を非難者に応じて複数に区画でき、その区画が容易に行え、且つ保管にスペースを取ることなく、廃棄物処理の必要がない屋内空間部用の区画体、及び屋内空間部用の区画体の区画方法を提供することを課題とする。
【解決手段】屋内空間部を複数に区画すべく対向する側面間に複数本架け渡された区画用ロープ体と、該区画用ロープ体に取り付ける縦方向の区画を形成する区画用シート体と、前記隣り合う区画用ロープ体間に取り付ける横方向の区画を形成する区画用シート体とかから構成された屋内空間部用の区画体において、前記区画用ロープ体には、間仕切り面に応じて形成されたネット体又はシート体が吊り張りされ、前記ネット体又はシート体を利用して前記縦方向の区画用シート体及び横方向の区画用シート体が取り付けられていることである。
【選択図】図１【図１】
0006771732.tif 000002
【図２】
0006771732.tif 000003
【図３】
0006771732.tif 000004
【図４】
0006771732.tif 000005
【図５】
0006771732.tif 000006
【図６】
0006771732.tif 000007
【図７】
0006771732.tif 000008
【図８】
0006771732.tif 000009
【図９】
0006771732.tif 000010
【図１０】
0006771732.tif 000011
【図１１】
0006771732.tif 000012
【図１２】
0006771732.tif 000013
【図１３】
0006771732.tif 000014
【図１４】
0006771732.tif 000015
【図１５】
0006771732.tif 000016
【図１６】
0006771732.tif 000017